(57)【要約】【課題】  本発明は、髪を巻き付けたときに髪から落ちづらいヘアカーラーを提供しようとするものである。【解決手段】  巻き付けた髪を係止する多数の髪係止部１３を備えるヘアカーラー１であって、長さ方向に延びる頂部４と、髪を巻き付けるための１又は２の表面と、髪を巻き付けるための底面２６とを有しており、前記表面は頂部４から底面方向に向かって延び、前記底面２６は前記表面と連続する面を形成するように外側に凸をなして曲がるように形成されている。【選択図】  図１
2013165928.tif 000002
【特許請求の範囲】
【請求項１】
髪を係止する多数の髪係止部を備えるヘアカーラーであって、長さ方向に延びる頂部と、髪を係止するための１又は２の表面と、髪を係止するための底面とを有しており、前記表面は頂部から底面方向に向かって延び、前記底面は前記表面と連続する面を形成するように外側に凸をなして曲がるように形成されていることを特徴とするヘアカーラー。
【請求項２】
ヘアカーラーの横断面において、１の表面を有するときはその表面、２の表面を有するときは少なくとも一方の表面、で構成される線が、頂部から底面に達するまでほぼ直線状に延びている請求項１記載のヘアカーラー。
【請求項３】
ヘアカーラーの横断面において、底面で構成される線は曲線をなす請求項１又は請求項２記載のヘアカーラー。
【請求項４】
頂部から下方に向かって延びる２の表面を有し、それら２つの表面の一方の表面と他方の表面は頂部から徐々に間隔を広げるように延び、その広がった両表面が、外側に凸をなして曲がる底面を介して連続している請求項１乃至請求項３のいずれか一項記載のヘアカーラー。
【請求項５】
ヘアカーラーの長さ方向の軸線が弧状をなすように曲がり、軸線の外側にその軸線と同じように弧状に曲がる表面が存在している請求項１乃至請求項４のいずれか一項記載のヘアカーラー。
【請求項６】
ヘアカーラーの横断面において、２つの表面と底面とで構成される線は雫状に形成されている請求項４又は請求項５記載のヘアカーラー。
【請求項７】
ヘアカーラーの形を保持するための基部材と、髪係止部材とを含み、該髪係止部材は髪を係止する多数の髪係止部を有するヘアカーラーであって、長さ方向に延びる頂部と、頂部から鋭角の交差角をなして延びる髪を係止するための２の表面と、外側に凸をなして曲がる髪を係止するための底面とを有し、前記２つの表面は底面を介して連続していることを特徴とするヘアカーラー。
【請求項８】
複数のヘアカーラーを長さ方向に連結可能にする手段が設けられている請求項１乃至請求項７のいずれか一項記載のヘアカーラー。
【発明の詳細な説明】
【技術分野】
【０００１】
本発明は、主に女性が使用するヘアカーラーに関する。
【背景技術】
【０００２】
ヘアカーラーに髪を巻き付けるために、ヘアカーラーはその表面に面ファスナーのフック状繊維のような多数の髪係止部を備えている。しかし、いつもヘアカーラーに髪が最適に巻き付いてカールできるばかりとは限らず、ヘアカーラーにうまく髪が巻き付かずに落ちてしまう場合がある。例えば、髪型がショートのボブヘア（おかっぱヘア）の場合は髪が短いためにヘアカーラーが髪から落ちやすい。また、髪質がさらさらの素直な髪の場合も髪から落ちやすい。このようなことから、ヘアカーラーが落ちることを防止するために意匠登録第１３４７６０６号に記載されているようなヘアカーラー用のクリップが存在する。このクリップは、ヘアカーラーに巻いた髪の上からクリップを挟み付けてヘアカーラーが落ちることを防止することができる。しかし、クリップを使うとカールした後にクリップの跡が髪に残るという欠点があるし、手間もかかる。
【０００３】
また、ヘアカーラーの取り付け位置によってもヘアカーラーが落ちやすい場合がある。例えば、頭上で髪をヘアカーラーに巻き付けた場合にはヘアカーラーが髪から落ちることがあまりないが、頭のサイド又は後ろで髪をヘアカーラーに巻き付けた場合にヘアカーラーが落ちることが多い。この理由は、頭上でヘアカーラーに髪を巻き付けた場合は、ヘアカーラーが頭に載っているので頭に支えられて落ち着くのであるが、頭のサイド又は後ろで髪を巻き付けた場合は、頭がヘアカーラーを支えないから、円筒形のヘアカーラーは自重によって回転しながら下方に落ちてしまうのである。
【先行技術文献】
【特許文献】
【０００４】
【特許文献１】特許第３９２５８９４号公報
【発明の概要】
【発明が解決しようとする課題】
【０００５】
本発明は、髪から容易に落ちることのないヘアカーラーを提供するものである。
【課題を解決するための手段】
【０００６】
請求項１は、髪を係止する多数の髪係止部を備えるヘアカーラーであって、長さ方向に延びる頂部と、髪を係止するための１又は２の表面と、髪を係止するための底面とを有しており、前記表面は頂部から底面方向に向かって延び、前記底面は前記表面と連続する面を形成するように外側に凸をなして曲がるように形成されている構成である。
【０００７】
請求項２は、ヘアカーラーの横断面において、１の表面を有するときはその表面、２の表面を有するときは少なくとも一方の表面で構成される線が、頂部から底面に達するまでほぼ直線状に延びている構成である。
【０００８】
請求項３は、ヘアカーラーの横断面において、底面で構成される線は曲線をなしている構成である。
【０００９】
請求項４は、頂部から下方に向かって延びる２の表面を有し、それら２つの表面の一方の表面と他方の表面は頂部から徐々に間隔を広げるように延び、その広がった両表面が、外側に凸をなして曲がる底面を介して連続している構成である。
【００１０】
請求項５は、ヘアカーラーの長さ方向の軸線が弧状をなすように曲がり、軸線の外側にその軸線と同じように弧状に曲がる表面が存在している構成である。
【００１１】
請求項６は、ヘアカーラーの横断面において、２つの表面と底面とで構成される線は雫状に形成されている構成である。
【００１２】
請求項７は、ヘアカーラーの形を保持するための基部材と、髪係止部材とを含み、該髪係止部材は髪を係止する多数の髪係止部を有するヘアカーラーであって、長さ方向に延びる頂部と、頂部から鋭角の交差角をなして延びる髪を係止するための２の表面と、外側に凸をなして曲がる髪を係止するための底面とを有し、前記２つの表面は底面を介して連続している構成である。
【００１３】
請求項８は、複数のヘアカーラーを長さ方向に連結可能にする手段が設けられている構成である。
【発明の効果】
【００１４】
請求項１は、長さ方向に延びる頂部と、髪を係止するための１又は２の表面と、髪を係止するための底面とを有しており、前記表面は頂部から底面方向に向かって延び、前記底面は前記表面と連続する面を形成するように外側に凸をなして曲がるように形成されている。本発明のヘアカーラーは、主に、髪型がショートのボブヘア（おかっぱヘア）のサイドヘアや後ろ髪の毛先を内側にゆるく巻くことを想定したヘアカーラーであり、通常の円筒形のヘアカーラーよりも大きく形成される。したがって、ヘアカーラーを通常のように小さく形成して髪を一重半や二重に巻き付けることも可能であるが、むしろ、大きく形成して頂部から１の表面を経て底面までのＪ字形となる巻き付けや、長くてもヘアカーラーの一周に亘っての巻き付けを想定している。そして、請求項１のヘアカーラーは、上に頂部があり、下にある底面が外側に凸をなして曲がっているので円筒形をなしておらず、頭のサイド又は後ろで髪を巻き付けた場合にヘアカーラーが回転しながら落ちることがない。サイドの髪や後ろ髪をヘアカーラーの外側から巻き付けて内巻きのカールをさせようとするときは、まず、頂部から底面方向に向かって延びる表面に髪を係止させ、次いで底面の髪係止部に髪を係止させてヘアカーラーに取り付けることになる。したがって、髪は底面に係止させるばかりでなく、頂部から底面方向に向かって延び底面と連続する表面に髪が係止されるので、その係止効果によりヘアカーラーが回転しにくく髪から落ちることを効果的に防止することができる。このヘアカーラーにより、使用時にヘアカーラー用のクリップを使用することなく髪を確実に巻き付けることができる。
【００１５】
請求項２は、ヘアカーラーの横断面において、１の表面を有するときはその表面、２の表面を有するときは少なくとも一方の表面で構成される線が、頂部から底面に達するまでほぼ直線状に延びている。髪が巻き付いている表面が頂部からほぼ直線状に延びているので、その表面に巻き付いている髪がヘアカーラーを上方に引っ張る力の方向と表面とのなす角度が小さくなる。それにより、表面とそこに巻き付いている髪を引き離そうとする表面に垂直な分力も非常に小さくなり、巻き付いている髪をヘアカーラーの表面に確実に付着させることができる。これにより、ヘアカーラーが髪から落下することを効果的に防止できる。さらに、髪はヘアカーラーの頂部から前述した表面を経由して底面まで巻き付けられるので、髪が表面に巻き付いている長さが長くなり、その分だけ、髪に対するヘアカーラーの付着力を増すことができる。
【００１６】
請求項３は、ヘアカーラーの横断面において、底面で構成される線は曲線をなしている構成である。曲線であれば、その曲線に巻き付いている髪は底面に沿ってぴったりと接するので、髪と底面の付着力が増してヘアカーラーの落下をより確実に防止できる。また、髪を所望の曲線にきれいにカーブさせることができる。
【００１７】
請求項４は、頂部から下方に向かって延びる２の表面を有し、それら２つの表面の一方の表面と他方の表面は頂部から徐々に間隔を広げるように延び、その広がった両表面が、外側に凸をなして曲がる底面を介して連続している。頂部から延びる一方の表面が底面を経由して他方の表面まで延び、再び頂部に至る構成であるから、髪をヘアカーラーの大部分に亘って巻き付けることができる。
【００１８】
請求項５は、ヘアカーラーの長さ方向の軸線が弧状をなすように曲がり、軸線の外側にその軸線と同じように弧状に曲がる表面が存在している。人の頭は外側に凸の弧状をなしているから、ヘアカーラーを弧状に曲げることにより、ヘアカーラーを頭の形状に合わせることができ、自然な形のカールを付けることができる。また、ヘアカーラーが全体として弧状に曲がっていて、非常に回転しにくい形状であるから、使用時にヘアカーラーが髪から落ちることをさらに確実に防止できる。さらに、軸線の外側に軸線と同じように弧状に曲がる表面が存在しているので、その表面に髪を巻き付けることによって、内巻きのカールをすることができる。
【００１９】
請求項６は、ヘアカーラーの横断面において、２つの表面と底面とで構成される線は雫状に形成されている構成である。雫状であるから、ヘアカーラーの横断面において、頂部から下方に向かって延びる２の表面で構成される線は、それぞれ頂部から底面付近に達するまで直線又は直線に近い線をもって延びている。また、その２の表面で構成される線が頂部でなす角度は鋭角であり、例えば３０度〜７５度である。そして、底面で構成される線はほぼ半円形である。雫状はこのような形状であるから、下膨れであり、重心が中央よりも下方にある。したがって、上下左右対称であって頂部が上下に２つ存在し、重心が中央に存在する楕円形と明確に区別される形状である。請求項６のヘアカーラーの横断面の形状は楕円形でなく雫状であるから、前述したように、重心が垂直方向の中心線の中心よりも下方に存在する。したがって、ヘアカーラーはさらに回転しにくくなるのである。また、仮にヘアカーラーが楕円形であると上下に同じ２つの頂部を有しているから、髪を下の頂部に巻き付けるときに、丸みを有する頂部の半径が小さいために髪を無理に曲げなければならず、その結果、髪がほどけやすくなるのである。さらに、本発明では、頂部から下方に向かって延びる２の表面で構成される線が、それぞれ頂部から底面付近に達するまで直線又は直線に近い線をもって延びていることにより、髪を巻き付けるときに、最初に毛先よりも上の髪をヘアカーラーの外側の面に係止させ、それから毛先を巻き付けていくことが可能である。したがって、その場合、最初に髪の多くの部分がヘアカーラーの外側の面に係止するので髪をヘアカーラーに容易に巻き付けることができる。さらに、雫状のように頂部があってそこから２つの表面が鋭角をなして底面に延びているヘアカーラーの場合は、盛り髪ベースとして使用することもできる。盛り髪ベースとは、髪の間に装着して髪のボリューム感を増やしたり、種々のヘアスタイルを作ったりするために使用される器具である。雫状のヘアカーラーを頭上に装着するときに、ヘアカーラーの頂部が頭の前を向くように装着すれば頭のトップの髪にボリューム感を与えることができ、その反対に頂部が頭の後を向くようにヘアカーラーを装着すれば、前髪付近のボリューム感を与えることができる。
【００２０】
請求項７は、ヘアカーラーの形を保持するための基部材と、髪係止部材とを含み、該髪係止部材は髪を係止する多数の髪係止部を有するヘアカーラーであって、長さ方向に延びる頂部と、頂部から鋭角の交差角をなして延びる髪を係止するための２の表面と、外側に凸をなして曲がる髪を係止するための底面とを有し、前記２つの表面は底面を介して連続している。したがって、基部材を有しているからヘアカーラーの形を確実に保持できる。また、上側に頂部があり、底面が外側に凸をなして曲がっているのでヘアカーラーは円筒形をなしておらず、頭のサイド又は後ろで髪を巻き付けた場合にヘアカーラーが回転しながら落ちることがない。サイドの髪や後ろ髪をヘアカーラーの外側から巻き付けて内巻きのカールをさせようとするときは、まず、頂部から底面方向に向かって延びる表面に髪を係止させ、次いで底面の髪係止部に髪を係止させてヘアカーラーに取り付けることになる。したがって、髪は底面に係止させるばかりでなく、頂部から底面方向に向かって延び底面と連続する表面に髪が係止されるので、その係止効果によりヘアカーラーが回転しにくく髪から落ちることを効果的に防止することができる。このヘアカーラーにより、使用時にヘアカーラー用のクリップを使用することなく髪を確実に巻き付けることができる。さらに、２つの表面が頂部から鋭角の交差角をなして延びるので、円筒と比較すればやや板状に近いから回転しづらいのである。
【００２１】
請求項８は、複数のヘアカーラーを長さ方向に連結可能にする手段が設けられている構成である。ヘアカーラーを連結することにより、髪全体や髪の複数個所の部位を効率的にカールすることができる。
【図面の簡単な説明】
【００２２】
【図１】図１は本発明の正面図である。
【図２】図２は本発明の背面図である。
【図３】図３は本発明の上面図である。
【図４】図４は基部材の正面図である。
【図５】図５は基部材の端部を端面に垂直な方向から見た図である。
【図６】図６は本発明の使用状態を示す図である。
【図７】図７は他の実施例の基部材の端部を端面に垂直な方向から見た図である。
【発明を実施するための形態】
【００２３】
ヘアカーラー１は、ヘアカーラー１の形状を保持するための基部材２と、髪係止部材３と、髪係止部材３を基部材２に取り付けるための伸縮性を有するバンド１４とから成る。図４及び図５に示すように、基部材２は板状の硬質プラスチックで形成され、やや丸みを帯びた頂部４と、その頂部４から延びる２つの表面部５，６と、その２つの表面部５，６の間に介在する底面部７とから成る。頂部４と２つの表面部５，６が一体に形成され、底面部７はそれらとは別体に形成され、２つの表面部５，６と底面部７は結合部１２，１２で結合されている。結合方法としては凹凸の嵌合のほか溶着や接着などが用いられる。表面部５，６は、頂部４から約４５度の挟角をもって間隔を広げるように底面部７の方向に延び、底面部７に近づいた位置で底面部７と滑らかに連続させるためにやや内側にゆるく曲がっている。また、底面部７は横断面の形状が半円形をなすように形成されている。したがって、基部材２の端面は雫状の形状をなしている。また、基部材２には通風用の多数の通孔８が設けられている。図５は、図４において左側から基部材２の端部２２をその端面に垂直な方向から見た図である。図３に示すように、弧状に曲がる軸線２７と同じように基部材２は曲がっている。この弧状に曲がった基部材２の外側の面が図５に示す表面部５であり、頂部４から底面部７付近まで直線をなしている。また、弧状に曲がった基部材２の内側の表面部６は、図５に示すように頂部４から底面部７付近までわずかではあるがやや外側に凸の弧状をなしている。
【００２４】
図１に示すように、基部材２の一方の端部に連結部９が設けられている。連結部９は基部材２と同じように雫状をなし、連結部９の外形は基部材２の内形よりもわずかに小さいサイズに形成されている。他方の端部の嵌挿部１０は基部材２の内形であるから、連結部９を他のヘアカーラーの嵌挿部１０に嵌挿して２つのヘアカーラーを連結することができる。また、連結部９の表面に係止突起１１が設けられており、連結の際に嵌挿部１０の通孔８内に突出して係止作用をなす。
【００２５】
前述したように、図３に示すとおり、基部材２は弧状をなして曲がっている。これにより、ヘアカーラー１の全体が弧状に曲がった形状となる。基部材２のサイズについて説明すると、基部材２の長さ方向の中心軸線の全長は約１３０ｍｍであり、頂部４から底面部７の最も低い位置までの上下方向の長さは約６８ｍｍであり、弧状に曲がる基部材２の軸線２７の半径は約９０ｍｍである。最大幅は結合部１２，１２の間の長さであり約３７ｍｍである。上下方向の長さは最大幅の１．４倍〜２．５倍であることが好ましい。また、頂部４で交わる表面部５，６の挟角は約４５度である。底面部７はその横断面の形状がほぼ半円形をなしており、その半円形の半径は基部材２の最大幅の半分の約１８．５ｍｍである。サイズは以上の通りであるが、本発明がこれらの数値に限定されないことは勿論である。
【００２６】
髪係止部材３は表面に多数の髪係止部１３を有している。髪係止部１３は、先端にフック状の繊維を有する面ファスナーで構成されている。髪係止部材３は５枚の面ファスナーをそれぞれの継ぎ目１５でつなぎ合わせることにより形成され、その髪係止部材３の長辺１６と短辺１７が弾性的な伸縮性を有する３本のバンド１４で結ばれている。複数の面ファスナーをつなぎ合わせる理由は、基部材２が長さ方向に弧状に曲がっており、その曲がった形状に対して髪係止部材３がきれいに合うようにするためであり、このようにつなぎ合わせて形成することが好ましい。勿論、一枚の面ファスナーで形成してもよい。このように形成されている髪係止部材３が、図１に示すように基部材２の周囲にバンド１４の弾性力で締め付けた状態で取り付けられている。髪係止部材３の取り付け方は、その長辺１６が基部材２の頂部４に沿うように、短辺１７が基部材２の内側の表面部６の中央部付近に位置するように取り付ける。このように髪係止部材３を基部材２に取り付けると、３本のバンド１４は基部材２の内側の表面部６上に存在し、各バンド１４の間で基部材２が露出する。なお、各バンド１４の表面を面ファスナーが覆うように取り付けて、露出している基部材２も面ファスナーで覆う構成にしてもよく、バンド１４を用いずその部分も面ファスナーとして基部材２の表面が全面的に面ファスナーで覆われる構成にしてもよい。バンド１４を用いないときは、面ファスナーを例えば接着や溶着などで基部材２に取り付ける。髪係止部材３が基部材２に取り付けられることで、ヘアカーラー１の頂部２３と、髪を巻き付けるためのヘアカーラー１の外側の表面２４と内側の表面２５と底面２６とが基部材２の外面に沿った形状に形成される。
【００２７】
次に、本発明の使用方法について説明する。図６は、髪型がショートのボブヘアの女性が使用する図である。頭の下に垂れ下がった髪のサイドに内巻きのカールを付けている状態を示している。ヘアカーラー１は、髪のそれぞれのサイドに１つずつ使用している。髪をヘアカーラー1に巻き付けたらドライヤーによって髪にカールを付ければよい。ヘアカーラー１の基部材２の内部が空洞で長さ方向に貫通させてある場合のその貫通孔や、基部材２に設けられた多数の通孔８によって熱がヘアカーラー全体に届きやすい。２つのヘアカーラー１，１を連結して使用することも可能である。その場合、髪の一方のサイドから後ろ側を通って他方のサイドにかけ、１８０度の範囲に亘って一度に揃えてカールさせることができる。前述した如く、図５に示すように、弧状に曲がる基部材２の外側の表面部５は、頂部４から底面部７付近まで直線をなしている。したがって、ヘアカーラー１のこの直線部分の外側の表面２４に巻き付いた髪は直線状であり、髪に髪係止部１３から離れようとする曲げ応力が生じないので髪はしっかり巻き付けられる。これに対して、従来の円筒形のヘアカーラーでは、髪の巻き付け面が全周に亘って円弧をなすから、髪は自身が曲がることによって元の直線状に戻ろうとする曲げ応力により巻き付け面から離れやすいのである。基部材２の内側の表面部６も、頂部４から底面部７付近までわずかに弧状をなしているが直線に近い弧である。したがって、ヘアカーラー１の内側の表面２５に巻き付けた髪も前述した外側の表面２４と同じように離れにくいのである。なお、本発明は、頭のサイドや後ろの髪に内巻きのカールを付けるほか、前髪にも内巻きのゆるいカールを付けることができる。
【００２８】
次に、髪の巻き付け方を従来と比較して説明する。従来の円筒形のカーラーに髪を巻き付けるときは、まず、カールしようとする毛先をカーラーの面ファスナーに宛がい、カーラーを回転させながら毛先の方から順次巻き付けていくので、毛先が巻き付けた髪の最も内側となりきついカールがなされる。これに対して、本発明のヘアカーラー１に髪を巻き付けるときは、毛先はヘアカーラー１よりも下に垂らし、まず、毛先よりも上にある髪をヘアカーラー１の外側の表面２４に係止させ、それから毛先を底面２６から内側の表面２５にかけて係止させて巻き付ける。このように、本発明では髪を巻き付けるときに、最初に髪の多くの部分がヘアカーラー１の外側の表面２４に係止するので、この時点でヘアカーラー１は安定するから残った毛先を円滑に巻き付けることができる。すなわち、従来は毛先が最初にヘアカーラーに係止されるが、本発明では毛先が最後に係止される点で異なっている。これにより、髪をヘアカーラーに容易に巻き付けることができる。また、本発明では従来のヘアカーラーのように毛先を巻き付けた髪の最も内側にしてきついカールをするよりも、ゆるい内巻きのカールをするのに適しているように構成されている。さらに、本発明では髪を巻き付けるときに、最初に髪の多くの部分がヘアカーラー１の外側の表面２４に係止するので、この時点でヘアカーラー１は安定し、使用中ヘアカーラーが回転して髪から外れることを有効に防止できる。しかも、基部材２の軸線２７が弧状に曲がっていることもあり、その髪係止部材３の長辺１６は短辺１７よりも長いので、最初に髪が係止するヘアカーラー１の外側の表面２４の方が、あとから髪が係止する内側の表面２５よりも軸線２７の方向に長い。これにより、最初に、長い方の外側の表面２４に髪を余裕をもってしっかり係止することができるので、この時点でヘアカーラー１は安定して髪に支えられるから、そのあとの作業である短い方の内側の表面２５に髪を巻き付ける作業がしやすいのである。
【００２９】
本発明の別の使用方法として盛り髪ベースとしての使用がある。前述したように、盛り髪ベースとは、髪の間に装着して髪のボリューム感を増やしたり、種々のヘアスタイルを作ったりするために使用される器具である。使用方法の一例について説明すると、まず頭頂部の髪をとって逆毛を立てる。次に、逆毛を立てた髪の根元付近に本発明のヘアカーラー１を盛り髪ベースとしてセットし、逆毛を立てた髪や周囲の髪によって盛り髪ベースを隠すように覆ってピンで止めることにより、髪をボリュームアップさせることができる。髪をボリュームアップさせることで頭を大きくして小顔に見せることができる。
【００３０】
図７は他の実施例の基部材１８の端面を示す図である。基部材１８は板状の硬質プラスチックで形成され、頂部１９と、その頂部１９から延びる１つの表面部２０と、その表面部２０と一体に連続する底面部２１とから成る。したがって、基部材１８はその表面が一周に亘って連続していない。髪係止部材（図示せず。）は１枚の面ファスナーを表面部２０と底面部２１とに全面的に貼り付けてもよく、前述した実施例のように髪係止部材の２つの端部を弾性的な伸縮性のあるバンドで結合し、そのバンドが頂部１９と底面部２１の縁部との間を結ぶように延ばしてもよい。この基部材１８が前述した実施例のように長さ方向に曲げられていてもよく、そのときは、表面部２０が外側に凸となるように曲げられる。髪係止部材である面ファスナーを基部材１８に取り付けることにより、髪を巻き付けるための１つの表面と底面が形成される。このようにヘアカーラーを構成すると、他方の表面部が存在しないのでその分だけ軽くすることができる。これにより、髪から落ちにくいヘアカーラーを提供することができる。
【００３１】
本発明は前述した構成に基づいて種々の態様をとることが可能である。例えば、基部材２の長さ方向の軸線２７が弧状に曲がっていなくてもよい。弧状以外の曲線で曲がっていたり、直線であってもよい。また、髪係止部１３として面ファスナー以外の手段を用いてもよい。ヘアカーラー１の横断面において、基部材２の頂部４から延びる２つの表面部５，６は直線状に延びなくてもよく、やや凸の弧状をなして延びてもよい。片方の表面部のみが直線状に延びてもよい。また、ヘアカーラーの形状を保持するために別体の基部材２を用いなくてもよく、その場合は例えば髪係止部材として面ファスナーを用い、その基部がヘアカーラーの形状を保持できるように厚みなどを設定すればよい。基部材２、１８はプラスチックに限定されるものでなく例えば金属板であってもよい。その場合、軽量化を図るためアルミニウム板が好ましい。また、プラスチック板で形成された基部材２，１８とその表面に取り付けられた髪係止部材の間に金属板を取り付けてもよい。この場合もアルミニウム板が好ましい。また、図６はヘアカーラー１を水平にして使用している状態図であるが、これ以外に例えばヘアカーラー１を垂直にして用い、基部材の長さ方向で弧状に曲がった軸線と同じような曲線で髪をカールさせてもよい。
【産業上の利用可能性】
【００３２】
長さ方向に延びる頂部と、外側に凸をなして曲がるように形成されている底面を設けることにより、髪を巻き付けたときに髪から落ちづらいヘアカーラーを提供することができる。
【符号の説明】
【００３３】
１  ヘアカーラー、    ２  基部材、    ３  髪係止部材、    ４  頂部、    ５  表面部、    ６  表面部、    ７  底面部、    ８  通孔、    ９  連結部、    １０  嵌挿部、    １１  係止突起、    １２  結合部、    １３  髪係止部、    １４  バンド、    １５  継ぎ目、    １６  髪係止部材の長辺、    １７  髪係止部材の短辺、    １８  基部材、    １９  頂部、    ２０表面部、  ２１  底面部、  ２２  基部材の端部、    ２３  ヘアカーラーの頂部、    ２４  ヘアカーラーの外側の表面、    ２５  ヘアカーラーの内側の表面、    ２６  ヘアカーラーの底面、    ２７  基部材の軸線
【図１】
2013165928.tif 000003
【図２】
2013165928.tif 000004
【図３】
2013165928.tif 000005
【図４】
2013165928.tif 000006
【図５】
2013165928.tif 000007
【図６】
2013165928.tif 000008
【図７】
2013165928.tif 000009